(57)【特許請求の範囲】
【請求項１】
受信信号を復調する通信装置における通信方法において、
直接拡散通信方式における符号分割多元接続方式において、各ユーザの拡散符号系列とチャネルインパルスレスポンスとの畳み込み系列を成分として配置した行列を基に、復調対象を複数の集合群に分けて、順次各データシンボルを復調する場合に、
過去の復調済みのデータシンボルを保持し、
現在復調しようとする受信信号から、前記保持された過去の復調済みのデータシンボルに拡散符号系列とチャネルインパルスレスポンスとの畳み込み系列を乗じた信号を差し引いてデータシンボルの復調を行うことを特徴とする通信方法。
【請求項２】
固定パターンの信号が含まれる受信信号を復調する通信装置における通信方法において、
直接拡散通信方式における符号分割多元接続方式において、各ユーザの拡散符号系列とチャネルインパルスレスポンスとの畳み込み系列を成分として配置した行列を基に、各データシンボルを復調する場合に、
前記固定パターンの信号を保持し、
現在復調しようとする受信信号から、前記保持された固定パターンの信号とチャネルインパルスレスポンスとの畳み込み系列を差し引いてデータシンボルの復調を行うことを特徴とする通信方法。
【請求項３】
受信信号を復調する通信装置において、
直接拡散通信方式における符号分割多元接続方式において、各ユーザの拡散符号系列とチャネルインパルスレスポンスとの畳み込み系列を成分として配置した行列を基に、復調対象を複数の集合群に分けて、順次各データシンボルを復調する場合に、
過去の復調済みのデータシンボルを保持する保持手段と、
現在復調しようとする受信信号から、前記保持された過去の復調済みのデータシンボルに拡散符号系列とチャネルインパルスレスポンスとの畳み込み系列を乗じた信号を差し引いて受信信号の復調を行う復調手段と、
を備えることを特徴とする通信装置。
【請求項４】
固定パターンの信号が含まれている受信信号を復調する通信装置において、
直接拡散通信方式における符号分割多元接続方式において、各ユーザの拡散符号系列とチャネルインパルスレスポンスとの畳み込み系列を成分として配置した行列を基に、各データシンボルを復調する場合に、
前記固定パターンの信号を保持する保持手段と、
現在復調しようとする受信信号から、前記保持された固定パターンの信号とチャネルインパルスレスポンスとの畳み込み系列を差し引いて受信データシンボルの復調を行う復調手段と、
を備えることを特徴とする通信装置。
【発明の詳細な説明】
【０００１】
【発明の属する技術分野】
本発明は、受信信号を復調する通信装置及び当該通信装置における通信方法に関する。
【０００２】
【従来の技術】
符号分割多元接続（ＣＤＭＡ）方式は、同一の周波数帯域で複数の移動局が同時に通信を行う場合に、各ユーザ毎に符号系列を割り当てることによって、複数の回線接続を可能とする多元接続方式である。このＣＤＭＡ方式の１つである直接拡散通信方式は、情報信号に拡散符号系列を乗ずることにより、本来の情報信号の帯域幅に比較して十分に広い帯域に拡散して伝送する方式であり、拡散符号系列の数や、拡散率、スペクトル拡散された信号の伝送速度により、１チャネル当りの情報伝送速度が一意的に求まる。従って、ある伝送帯域幅で、拡散符号系列の数や拡散率を変えることにより、低速から高速まで各種の伝送速度のサービスを同時にサポートすることができる。
【０００３】
ところで、ＣＤＭＡ方式における受信技術として、ジョイントディテクション（Joint Detection ）復調と称されるマルチユーザディテクション復調方式がある。ジョイントディテクション復調では、各ユーザの拡散符号系列とチャネルインパルスレスポンスとを畳み込んだ系列を要素として配置したシステム行列Ａが生成される。このシステム行列Ａを用いると、送信対象のデータシンボルｄ及び受信信号ｅは、雑音をｎとすると、ｅ＝Ａｄ＋ｎなる関係で表されるため、システム行列Ａに関する操作により、データシンボルｄを推定することができる。以下、受信信号ｅ、システム行列Ａ、データシンボルｄ、雑音ｎの関係を具体的に説明する。
【０００４】
ユーザｋ（ｋ＝１，２，…，Ｋ）の拡散符号系列ｃ（ｋ）とチャネルインパルスレスポンスｈ（ｋ）をそれぞれ
ｃ（ｋ）＝（ｃ１（ｋ），ｃ２（ｋ），…，ｃＱ（ｋ））Ｔ・・・・・（１）
ｈ（ｋ）＝（ｈ１（ｋ），ｈ２（ｋ），…，ｈＱ（ｋ））Ｔ・・・・・（２）
で表す。ユーザｋの拡散符号系列ｃ（ｋ）とチャネルインパルスレスポンスｈ（ｋ）との畳み込み系列ｂ（ｋ）は、拡散率をＱ、チャネルインパルスレスポンス幅をＷ、各ユーザの復調シンボル集合数をＮとすると、
ｂ（ｋ）＝（ｂ１（ｋ），ｂ２（ｋ），…，ｂＱ＋Ｗ−１（ｋ））Ｔ＝ｃ（ｋ）＊ｈ（ｋ）・・・・・（３）
となり（但し、「＊」はコンボリュージョンを示す。）、行列式で表すと、
【０００５】
【数１】
0003795740.tif 000002
となる。システム行列Ａは、この畳み込み系列ｂ（ｋ）を要素として配置したものであり、
【０００６】
【数２】
0003795740.tif 000003
と表される。上述したように，データシンボルｄ及び受信信号ｅは、ｅ＝Ａｄ＋ｎなる関係であるが、ここでは雑音ｎを省略してｅ＝Ａｄとし、データシンボルｄの集合ｄ（ｋ）と、これに対応する受信信号の集合ｅ（ｋ）をそれぞれ
ｄ（ｋ）＝（ｄ１（ｋ），ｄ２（ｋ），…，ｄＮ（ｋ））Ｔ・・・・・（６）
ｅ（ｋ）＝（ｅ１（ｋ），ｅ２（ｋ），…，ｅＮＱ＋Ｗ−１（ｋ））Ｔ・・・・・（７）
で表すと、データシンボル集合ｄ（ｋ）と、受信信号集合ｅ（ｋ）との関係は、システム行列Ａを用いて、
【０００７】
【数３】
0003795740.tif 000004
となる。この式（８）に基づいて、システム行列Ａに関する操作を行うことにより、データシンボルｄを推定することができる。
【０００８】
【発明が解決しようとする課題】
ところで、上述したジョイントディテクション復調により、復調対象を複数の集合群に分けて、順を追って各々データシンボルｄを復調していく場合、従来は、データシンボル集合ｄ（ｋ）内で、過去に求めたデータシンボルについても未知数として、その都度推定している。
【０００９】
しかしながら、過去に求めたデータシンボルについても未知数としてその都度推定すると、システム行列Ａのサイズが大きくなり、演算量が増加する。しかも、そこで推定される過去のデータシンボルは、データシンボル集合内の最初のシンボル以前と最後のシンボル以後のデータシンボルが考慮されていないため、精度が低下している。これは、データシンボル集合ｄ（ｋ）の最初と最後の数シンボルに対応する受信信号ｅには、他のデータシンボル集合に対応する信号が重なっているにも関わらず、システム行列Ａとデータシンボル集合ｄ（ｋ）に、それに相当する成分が配置されないためである。従って、現時点で推定されるデータシンボルｄにも、その誤差が波及する。
【００１０】
本発明は、上記問題点を解決するものであり、その目的は、復調に必要な演算量を削減すること、及び、復調の精度を向上させることが可能な通信方法及び通信装置を提供することにある。
【００１１】
【課題を解決するための手段】
上記の目的を達成するため、本発明は、受信信号を復調する通信装置における通信方法であり、過去の復調済みの信号を保持し、現在復調しようとする受信信号から、前記保持された過去の復調済みの信号を含む成分を差し引いて受信信号の復調を行う。
【００１２】
このような通信方法では、現在復調しようとする信号に過去の復調済みの信号成分が含まれている場合に、その成分を差し引いた上で復調を行うことにより、復調時の演算量を削減することができ、併せて、過去の復調済みの信号を未知数として推定する場合と比較して、復調の精度を向上させることができる。
【００１３】
また、本発明は、上述した、受信信号を復調する通信装置における通信方法であり、直接拡散通信方式における符号分割多元接続方式において、各ユーザの拡散符号系列とチャネルインパルスレスポンスとの畳み込み系列を成分として配置した行列を基に、復調対象を複数の集合群に分けて、順次各データシンボルを復調する場合に、過去の復調済みのデータシンボルを保持し、現在復調しようとする受信信号から、前記保持された過去の復調済みのデータシンボルに拡散符号系列とチャネルインパルスレスポンスとの畳み込み系列を乗じた信号を差し引いてデータシンボルの復調を行う。
【００１４】
この場合には、現在復調しようとする受信信号から、過去の復調済みのデータシンボルに拡散符号系列とチャネルインパルスレスポンスとの畳み込み系列を乗じた信号を差し引いて復調を行うことにより、各ユーザの拡散符号系列とチャネルインパルスレスポンスとの畳み込み系列を成分として配置した行列のサイズを小さくすることができるため、演算量を削減することができ、併せて、過去の復調済みのデータシンボルを未知数として推定する場合と比較して、復調の精度を向上させることができる。
【００１５】
また、本発明は、固定パターンの信号が含まれる受信信号を復調する通信装置における通信方法であり、前記固定パターンの信号を保持し、現在復調しようとする受信信号から、前記保持された固定パターンの信号を含む成分を差し引いて受信信号の復調を行う。
【００１６】
この場合には、固定パターンの信号については、復調しなくてもその内容が既知であるため、受信信号に固定パターンの信号が含まれている場合に、現在復調しようとする受信信号から、固定パターンの信号成分を差し引いた上で復調を行うことにより、固定パターンを未知数として推定する、もしくは考慮しない場合と比較して、復調の精度を向上させることができる。
【００１７】
また、本発明は、上述した、固定パターンの信号が含まれている受信信号を復調する通信装置における通信方法であり、直接拡散通信方式における符号分割多元接続方式において、各ユーザの拡散符号系列とチャネルインパルスレスポンスとの畳み込み系列を成分として配置した行列を基に、各データシンボルを復調する場合に、現在復調しようとする受信信号から、前記保持された固定パターンの信号とチャネルインパルスレスポンスとの畳み込み系列を差し引いてデータシンボルの復調を行う。
【００１８】
この場合には、固定パターンを未知数として推定する、もしくは考慮しない場合と比較して、復調の精度を向上させることができる。
【００１９】
また、請求項３および４に記載された発明は、請求項１および２に記載された通信方法に適した通信装置である。
【００２０】
【発明の実施の形態】
以下、本発明の実施の形態を説明する。まず、直接拡散通信方式におけるＣＤＭＡ方式の移動通信システムにおいて、基地局装置又は移動局装置が、各ユーザの拡散符号系列とチャネルインパルスレスポンスとの畳み込み系列を成分として配置した行列を基に、ジョイントディテクション復調を行う第１実施例について説明する。
【００２１】
本実施例においては、基地局装置又は移動局装置は、復調対象を複数の集合群に分けて、順を追って各データシンボルを復調する。ここで、各ユーザの復調シンボル集合数Ｎを５として、データシンボル集合（以下、「復調シンボル集合」と言う。）ｄ（ｋ）と、これに対応する受信信号集合ｅ（ｋ）を構成する場合、式（８）に示した復調シンボル集合ｄ（ｋ）、受信信号集合ｅ（ｋ）及びシステム行列Ａは、
【００２２】
【数４】
0003795740.tif 000005
に示す関係となる。基地局装置又は移動局装置は、復調シンボル集合ｄ（ｋ）の中から中央に位置するデータシンボルｄ３のみを抽出し、抽出する毎に復調シンボル集合ｄ（ｋ）及び受信信号集合ｅ（ｋ）をスライドさせながら、順次続けて復調を行う。
【００２３】
この場合、基地局装置又は移動局装置は、過去に求めたデータシンボルｄ１、ｄ２を内蔵するデータ保持部に保持しておき、これら過去に求めたデータシンボルｄ１、ｄ２に対し、式（４）で表される、各ユーザの拡散符号系列ｃ（ｋ）とチャネルインパルスレスポンスｈ（ｋ）との畳み込み系列ｂ（ｋ）を乗ずる。データシンボルｄ１、ｄ２に対し、畳み込み系列ｂ（ｋ）を乗じた演算結果は、受信信号ｅ内における、データシンボルｄ１、ｄ２に対応する成分を示す。基地局装置又は移動局装置は、この演算結果を受信信号ｅから差し引く。このとき、式（９）は、
【００２４】
【数５】
0003795740.tif 000006
と変形することができる。この式（１０）によれば、システム行列Ａは、復調シンボル集合数がＮ＝３のサイズに縮小されるとともに、復調シンボル集合ｄ（ｋ）及び受信信号集合ｅ（ｋ）の各行列のサイズも縮小される。
【００２５】
基地局装置又は移動局装置は、式（１０）を用いて、復調シンボル集合ｄ（ｋ）の最初に位置するデータシンボルｄ３を抽出だけで済む。そして、基地局装置又は移動局装置は、復調シンボル集合ｄ（ｋ）及び受信信号集合ｅ（ｋ）をスライドさせて、再度、復調シンボル集合ｄ（ｋ）の最初に位置するデータシンボルｄ３（スライド前のデータシンボルｄ４）を抽出する。このような操作の繰り返しにより、復調シンボル集合ｄ（ｋ）内の各データシンボルが復調される。
【００２６】
このように、データシンボルｄ３より前のデータシンボルが過去に復調され、既知であることを利用して、システム行列Ａ、復調シンボル集合ｄ（ｋ）及び受信信号集合ｅ（ｋ）の各行列のサイズを縮小することができるため、行列計算の演算量を削減することが可能となる。また、復調シンボル集合ｄ（ｋ）内の最初のシンボル以前のデータシンボルも、そのデータシンボルの復調時にデータ保持部に保持され、復調シンボル集合ｄ（ｋ）内のデータシンボルの復調に利用することができるため、過去に求めたデータシンボルを未知数として推定する場合と比較して、復調の精度を向上させることができる。
【００２７】
なお、復調シンボル集合数がＮ＝５以外の場合でも、一般に、相応の過去の復調済みのデータシンボルに各ユーザの拡散符号系列ｃ（ｋ）とチャネルインパルスレスポンスｈ（ｋ）との畳み込み系列ｂ（ｋ）を乗じ、受信信号ｅから差し引くことにより、システム行列Ａ、復調シンボル集合ｄ（ｋ）及び受信信号集合ｅ（ｋ）の各行列のサイズが縮小されるため、行列計算の演算量を削減することができ、併せて、過去に求めたデータシンボルを未知数として推定する場合と比較して、復調の精度を向上させることができる。
【００２８】
また、推定精度に関係してくるが、復調シンボル集合ｄ（ｋ）から１つのデータシンボルを抽出する手法に限らず、任意の位置で複数のデータシンボルを抽出することも可能である。さらに、順を追って各データシンボルを復調する際の順序については、受信信号の初めからでも、後からでも良い。
【００２９】
また、現在復調しようとする受信信号から、過去の復調済みの信号を含む成分を差し引く操作を伴う復調であればよく、ＣＤＭＡ方式の復調に限定されるものではない。更に、拡散率Ｑを１にした場合には、シングルユーザディテクション復調方式となるが、本実施例は、このシングルユーザディテクション復調方式にも適用可能である。
【００３０】
図１〜図３に、システム行列を縮小した場合における、基地局装置又は移動局装置としての受信機の構成例を示す。なお、以下においては、雑音ｎを
ｎ＝（ｎ１，ｎ２，…，ｎＮＱ＋Ｗ−１）Ｔ・・・・・（１１）
とする。また、Ｒｎ、Ｒｄはそれぞれ
Ｒｎ＝Ｅ（ｎ・ｎＴ）・・・・・（１２）
Ｒｄ＝Ｅ（ｄ・ｄＴ）・・・・・（１３）
を示し、ＡＨはＡの共役行列を示すものとする。
【００３１】
図１は、ホワイティングマッチドフィルタ（ＷＭＦ：Whiting Matched Filter）を用いた受信機の構成例である。同図に示す受信機１００は、データ保持部１０２、加算器１０４、ＷＭＦ１０６を備えて構成される。
【００３２】
データ保持部１０２には、過去に求めたデータシンボルｄｃ，ＷＭＦ、チャネルインパルスレスポンスｈ（ｋ）、及び、各ユーザの拡散符号系列ｃ（ｋ）とチャネルインパルスレスポンスｈ（ｋ）との畳み込み系列ｂ（ｋ）が保持されている。
【００３３】
加算器１０４は、過去に求めたデータシンボルｄｃ，ＷＭＦに各ユーザの拡散符号系列ｃ（ｋ）とチャネルインパルスレスポンスｈ（ｋ）との畳み込み系列ｂ（ｋ）を乗じた演算結果を、受信信号ｅから差し引く。これにより、式（１０）の左辺のマトリクスを得ることができる。ＷＭＦ１０６は、加算器１０４の演算結果に対し、ＡＨ・Ｒｎ−１を乗じ、データシンボルｄｃ，ＷＭＦを導出する。
【００３４】
図２は、ＺＦ−ＢＬＥ（Zero Forcing ? Blocking Linear Equalizer ）を用いた受信機の構成例である。同図に示す受信機２００は、データ保持部２０２、加算器２０４、ＺＦ−ＢＬＥ２０６を備えて構成される。
【００３５】
データ保持部２０２には、過去に求めたデータシンボルｄｃ，ＺＦ−ＢＬＥ、チャネルインパルスレスポンスｈ（ｋ）、及び、各ユーザの拡散符号系列ｃ（ｋ）とチャネルインパルスレスポンスｈ（ｋ）との畳み込み系列ｂ（ｋ）が保持されている。
【００３６】
加算器２０４は、過去に求めたデータシンボルｄｃ，ＺＦ−ＢＬＥに各ユーザの拡散符号系列ｃ（ｋ）とチャネルインパルスレスポンスｈ（ｋ）との畳み込み系列ｂ（ｋ）を乗じた演算結果を、受信信号ｅから差し引く。ＺＦ−ＢＬＥ２０６は、加算器２０４の演算結果に対し、（ＡＨ・Ｒｎ−１・Ａ）−１・ＡＨ・Ｒｎ−１を乗じ、データシンボルｄｃ，ＺＦ−ＢＬＥを導出する。ＺＦ−ＢＬＥ２０６を用いることにより、図１に示したＷＭＦ１０６を用いた場合よりも、復調されるデータシンボルの精度を向上させることができる。
【００３７】
図３は、ＭＭＳＥ−ＢＬＥ（Minimum Mean Square Error ? Blocking Linear Equalizer ）を用いた受信機の構成例である。同図に示す受信機３００は、データ保持部３０２、加算器３０４、ＭＭＳＥ−ＢＬＥ３０６を備えて構成される。
【００３８】
データ保持部３０２には、過去に求めたデータシンボルｄｃ，ＭＭＳＥ−ＢＬＥ、チャネルインパルスレスポンスｈ（ｋ）、及び、各ユーザの拡散符号系列ｃ（ｋ）とチャネルインパルスレスポンスｈ（ｋ）との畳み込み系列ｂ（ｋ）が保持されている。
【００３９】
加算器３０４は、過去に求めたデータシンボルｄｃ，ＭＭＳＥ−ＢＬＥに各ユーザの拡散符号系列ｃ（ｋ）とチャネルインパルスレスポンスｈ（ｋ）との畳み込み系列ｂ（ｋ）を乗じた演算結果を、受信信号ｅから差し引く。ＭＭＳＥ−ＢＬＥ３０６は、ＺＦ−ＢＬＥ３０８、最尤系列推定型等化器（Whiner estimator）３１０を備えている。ＺＦ−ＢＬＥ３０８は、加算器３０４の演算結果に対し、（ＡＨ・Ｒｎ−１・Ａ）−１・ＡＨ・Ｒｎ−１を乗じる。最尤系列推定型等化器３１０は、この演算結果に対し、Ｗ０＝（Ｉ＋Ｒｄ・ＡＨ・Ｒｎ−１・Ａ）−１・Ａ）−１を乗じ、データシンボルｄｃ，ＭＭＳＥ−ＢＬＥを出力する。ＭＭＳＥ−ＢＬＥ３０６を用いることにより、図２に示したＺＦ−ＢＬＥ２０６を用いた場合よりも、復調されるデータシンボルの精度を更に向上させることができる。
【００４０】
次に、直接拡散通信方式におけるＣＤＭＡ方式の移動通信システムにおいて、基地局装置又は移動局装置が、各ユーザの拡散符号系列とチャネルインパルスレスポンスとの畳み込み系列を成分として配置した行列を基に、ジョイントディテクション復調を行う場合であって、且つ、受信信号に、データシンボルの信号成分の他に固定パターンの信号成分が含まれている第２実施例について説明する。
【００４１】
本実施例においては、基地局装置又は移動局装置は、固定パターンの系列を内蔵するデータ保持部に保持するとともに、この固定パターン系列とチャネルインパルスレスポンスとの畳み込み系列を算出する。固定パターンの初めからＷ−１個の系列ｍ（ｋ）を
ｍ（ｋ）＝（ｍ１（ｋ），ｍ２（ｋ），…，ｍＷ−１（ｋ））Ｔ・・・・・（１４）
で表すと、これら固定パターン系列ｍ（ｋ）とチャネルインパルスレスポンスｈ（ｋ）との畳み込み系列
ｐ（ｋ）＝（ｐ１（ｋ），ｐ２（ｋ），…，ｐＷ−１（ｋ））Ｔ・・・・・（１５）
は、
【００４２】
【数６】
0003795740.tif 000007
となる。この畳み込み系列ｐ（ｋ）は、受信信号ｅ内における、固定パターン系列ｍ（ｋ）に対応する成分を示す。
【００４３】
次に、基地局又は移動局装置は、固定パターン系列ｍ（ｋ）とチャネルインパルスレスポンスｈ（ｋ）との畳み込み系列ｐ（ｋ）を受信信号ｅから差し引く。ここで、固定パターン系列ｍ（ｋ）がその時点で復調される受信信号以降に含まれている場合には、式（８）は、受信信号集合ｅ（ｋ）から畳み込み系列ｐ（ｋ）を差し引いて、
【００４４】
【数７】
0003795740.tif 000008
と変形することができる。
【００４５】
一方、固定パターン系列ｍ（ｋ）がその時点で復調される受信信号以前に含まれている場合には、式（８）は、受信信号集合ｅ（ｋ）から畳み込み系列ｐ（ｋ）を差し引いて、
【００４６】
【数８】
0003795740.tif 000009
と変形することができる。
【００４７】
これらの式（１７）、（１８）によれば、復調されるデータシンボルに関わる固定パターン系列ｍ（ｋ）の影響を除去する場合、固定パターン系列ｍ（ｋ）が既知であることに着目し、予め固定パターン系列ｍ（ｋ）を保持し、チャネルインパルスレスポンスｈ（ｋ）との畳み込み系列ｐ（ｋ）を受信信号ｅから差し引くことにより、復調の精度を向上させることができる。また、固定パターン系列ｍ（ｋ）は既知の系列であるため、式（１７）に示すように、その時点以降に現れる場合にも受信信号から差し引くことができる。
【００４８】
なお、第２実施例に示した復調方法は、復調対象を複数の集合群に分けて、順を追って各データシンボルを復調するジョイントディテクション復調の場合だけでなく、一度で全ての連続したデータシンボルを復調する場合にも適用可能である。また、上述した第１実施例のように、過去に求めたデータシンボルを用いてシステム行列を縮小する場合にも、過去に求めたデータシンボルを未知数として推定してシステム行列を縮小しない場合にも適用可能である。
【００４９】
また、現在復調しようとする受信信号から、固定パターンの信号成分を差し引く操作を伴う復調であればよく、ＣＤＭＡ方式の復調に限定されるものではない。更に、拡散率Ｑを１にした場合には、シングルユーザディテクション復調方式となるが、本実施例は、このシングルユーザディテクション復調方式にも適用可能である。
【００５０】
第２実施例における基地局装置又は移動局装置としての受信機の構成は、第１実施例において図１〜図３に示した構成例と同様である。但し、データ保持部は、更に固定パターン系列ｍ（ｋ）、チャネルインパルスレスポンスｈ（ｋ）、及び、これら固定パターン系列ｍ（ｋ）とチャネルインパルスレスポンスｈ（ｋ）との畳み込み系列ｐ（ｋ）を保持し、加算器は、この畳み込み系列ｐ（ｋ）を受信信号ｅから差し引く。
【００５１】
以上説明したように、直接拡散通信方式におけるＣＤＭＡ方式の移動通信システムにおける基地局装置又は移動局装置において、各ユーザの拡散符号系列とチャネルインパルスレスポンスとの畳み込み系列を成分として配置した行列を基に、復調対象を複数の集合群に分けて、順を追って各データシンボルを復調する場合に、過去に求めたデータシンボルを保持し、この過去のデータシンボルに対し、拡散符号とチャネルインパルスレスポンスとの畳み込み系列を乗じた信号を、受信信号から差し引くことにより、ジョイントディテクション復調における演算量を、過去に求めたデータシンボルを未知数として計算する場合より削減することができ、併せて推定精度を向上させることもできる。
【００５２】
また、固定パターンの信号が送信される場合には、その時点で復調されるデータシンボルに対し、固定パターンが時系列的に前後のどちらにあっても、受信信号から固定パターンとチャネルインパルスレスポンスとの畳み込み系列を差し引くことにより、復調の推定精度を向上させることができる。
【００５３】
【発明の効果】
上述の如く、本発明によれば、過去の復調済みの信号を保持し、現在復調しようとする受信信号から、この過去の復調済みの信号を含む成分を差し引いて復調を行うことにより、復調時の演算量を削減することができ、併せて、過去の復調済みの信号を未知数として推定する場合と比較して、復調の精度を向上させることができる。
【００５４】
また、本発明によれば、固定パターンの信号を保持し、現在復調しようとする受信信号から、この固定パターンの信号成分を差し引いて復調を行うことにより、固定パターンを未知数として推定する、もしくは考慮しない場合と比較して、復調の精度を向上させることができる。
【図面の簡単な説明】
【図１】システム行列を縮小した場合における受信機の構成例であり、ＷＭＦを用いた場合の例を示す図である。
【図２】システム行列を縮小した場合における受信機の構成例であり、ＺＦ−ＢＬＥを用いた場合の例を示す図である。
【図３】システム行列を縮小した場合における受信機の構成例であり、ＭＭＳＥ−ＢＬＥを用いた場合の例を示す図である。
【符号の説明】
１００、２００、３００  受信機
１０２、２０２、３０２  データ保持部
１０４、２０４、３０４  加算器
１０６  ＷＭＦ
２０６、３０８  ＺＦ−ＢＬＥ
３０６  ＭＭＳＥ−ＢＬＥ
３１０  最尤系列推定型等化器
【図１】
0003795740.tif 000010
【図２】
0003795740.tif 000011
【図３】
0003795740.tif 000012